(57)【要約】【課題】橙色、赤色、緑色、青色、白色等の各色ＬＥＤを用いて多色表示が行われる表示装置が周囲に多数設置されたような状況にあっても、十分な注目効果を備えた表示装置を提供する。【解決手段】複数の発光素子によって情報を発光表示する主表示部の周囲に装飾表示部を設け、装飾表示部に閃光発光ランプを配設して所定のリズムに合わせた発光タイミングで点滅ざせる。また、装飾表示部に閃光発光ランプと発光ダイオードとを配置し、両者の動きを同期させて装飾表示を行う。また、装飾表示部に発光ダイオードを複数配設し、段階的な輝度変化を伴う多階調で発光表示する。【選択図】図１
2005215095.tif 000002
【特許請求の範囲】
【請求項１】
複数の発光素子を選択的に点滅駆動することで文字や画像等を発光表示する表示装置において、
複数の発光素子を所定形状あるいはドットマトリクス状に配設してなり、伝達情報として固定の表示パターンあるいは任意の表示パターンを発光表示する主表示部と、
繰り返して閃光を放つことが可能な閃光発光ランプを前記主表示部の周囲に配設してなり、所定の発光態様で点滅発光を行う装飾表示部とを備え、
装飾表示部の閃光発光ランプを所定のリズムに合わせた発光タイミングで点滅発光駆動することを特徴とする表示装置。
【請求項２】
複数の発光素子を選択的に点滅駆動することで文字や画像等を発光表示する表示装置において、
複数の発光素子を所定形状あるいはドットマトリクス状に配設してなり、伝達情報として固定の表示パターンあるいは任意の表示パターンを発光表示する主表示部と、
繰り返して閃光を放つことが可能な閃光発光ランプを前記主表示部の周囲に複数配設してなり、所定の発光態様で点滅発光を行う装飾表示部とを備え、
装飾表示部に配設した複数の閃光発光ランプを、任意の順序で、かつ所定のリズムに合わせた発光タイミングで点滅発光駆動することを特徴とする表示装置。
【請求項３】
複数の発光素子を選択的に点滅駆動することで文字や画像等を発光表示する表示装置において、
複数の発光素子を所定形状あるいはドットマトリクス状に配設してなり、伝達情報として固定の表示パターンあるいは任意の表示パターンを発光表示する主表示部と、
繰り返して閃光を放つことが可能な閃光発光ランプを前記主表示部の周囲に複数配設してなり、所定の発光態様で点滅発光を行う装飾表示部とを備え、
装飾表示部に配設した複数の閃光発光ランプを、所定数ごとに所定の時間差をおいて所定のリズムに合わせた発光タイミングで点滅発光駆動することを特徴とする表示装置。
【請求項４】
複数の発光ダイオードを選択的に点滅駆動することで文字や画像等を発光表示する表示装置において、
複数の発光ダイオードを所定形状あるいはドットマトリクス状に配設してなり、伝達情報として固定の表示パターンあるいは任意の表示パターンを発光表示する主表示部と、
繰り返して閃光を放つことが可能な閃光発光ランプと発光ダイオードとを前記主表示部の周囲にそれぞれ複数個配設してなり、所定の発光態様で点滅発光を行う装飾表示部とを備え、
装飾表示部の発光ダイオードによる表示の動きと閃光発光ランプによる表示の動きとを同期させることを特徴とする表示装置。
【請求項５】
複数の発光ダイオードを選択的に点滅駆動することで文字や画像等を発光表示する表示装置において、
複数の発光ダイオードを所定形状あるいはドットマトリクス状に配設してなり、伝達情報として固定の表示パターンあるいは任意の表示パターンを発光表示する主表示部と、
繰り返して閃光を放つことが可能な閃光発光ランプと発光ダイオードとを前記主表示部の周囲にそれぞれ複数個配設してなり、所定の発光態様で点滅発光を行う装飾表示部とを備え、
装飾表示部の発光ダイオードを段階的な輝度変化を伴う多階調で表示し、閃光発光ランプを単階調で閃光発光表示することを特徴とする表示装置。
【請求項６】
請求項１乃至５何れか記載の表示装置において、閃光発光ランプがキセノンランプであることを特徴とする表示装置。
【発明の詳細な説明】
【技術分野】
【０００１】
本発明は、発光ダイオード（以降ＬＥＤと表記する）等の発光素子を複数プリント基板上に配し、各発光素子を選択的に発光させることで文字、図形、記号、模様等を表示する装置に関する。
【背景技術】
【０００２】
従来、ＬＥＤをプリント基板上に配置し、選択的に点滅駆動することで文字・画像等を発光表示する電光表示装置が知られている。それら装置の多くは、店先や往来といった人通りのある場所に設置され、営業案内や集客のためのキャッチフレーズを発光表示するのに利用されており、注目効果を高めるために文字等を表示する主表示部の周囲に各種点滅発光を行う装飾表示部を設け、通行人の注意を引くようにした装置が主流になっている。
【発明の開示】
【発明が解決しようとする課題】
【０００３】
このような従来の表示装置では、主表示部、装飾表示部ともに発光素子としてＬＥＤを採用しており、橙色、赤色、緑色、青色、白色といった各色のＬＥＤを用いたり、下記先行技術１に示すようにＬＥＤから照射される光を拡散するためのレンズカバーをＬＥＤに被せるなどして、没個性に陥らないよう特徴付けをしたり、注目効果を高めるよう表示の動きに工夫を凝らすなどしていた。しかし、青色ＬＥＤや白色ＬＥＤの普及に伴って表示色の多色化が急速に進み、周囲や近隣に設置された同種の装置の中にあっては、もはやＬＥＤの光や発光色だけでは十分な注目効果が得られにくい状況になってきた。
【特許文献１】特開２００３−２８０５３４号
【０００４】
本発明は上記のような問題点を解決することを課題としており、橙色、赤色、緑色、青色、白色等の各色のＬＥＤを用いて多色表示が行われる表示装置が周囲にあっても、十分な注目効果を備えた表示装置を提供することを目的としている。
【課題を解決するための手段】
【０００５】
本発明は、上記課題を解決するために、（１）複数の発光素子を選択的に点滅駆動することで文字や画像等を発光表示する表示装置において、複数の発光素子を所定形状あるいはドットマトリクス状に配設してなり、伝達情報として固定の表示パターンあるいは任意の表示パターンを発光表示する主表示部と、繰り返して閃光を放つことが可能な閃光発光ランプを前記主表示部の周囲に配設してなり、所定の発光態様で点滅発光を行う装飾表示部とを備え、装飾表示部の閃光発光ランプを所定のリズムに合わせた発光タイミングで点滅発光駆動することを特徴とする表示装置を提案する。
【０００６】
また、（２）複数の発光素子を選択的に点滅駆動することで文字や画像等を発光表示する表示装置において、複数の発光素子を所定形状あるいはドットマトリクス状に配設してなり、伝達情報として固定の表示パターンあるいは任意の表示パターンを発光表示する主表示部と、繰り返して閃光を放つことが可能な閃光発光ランプを前記主表示部の周囲に複数配設してなり、所定の発光態様で点滅発光を行う装飾表示部とを備え、装飾表示部に配設した複数の閃光発光ランプを、任意の順序で、かつ所定のリズムに合わせた発光タイミングで点滅発光駆動することを特徴とする表示装置を提案する。
【０００７】
また、（３）複数の発光素子を選択的に点滅駆動することで文字や画像等を発光表示する表示装置において、複数の発光素子を所定形状あるいはドットマトリクス状に配設してなり、伝達情報として固定の表示パターンあるいは任意の表示パターンを発光表示する主表示部と、繰り返して閃光を放つことが可能な閃光発光ランプを前記主表示部の周囲に複数配設してなり、所定の発光態様で点滅発光を行う装飾表示部とを備え、装飾表示部に配設した複数の閃光発光ランプを、所定数ごとに所定の時間差をおいて所定のリズムに合わせた発光タイミングで点滅発光駆動することを特徴とする表示装置を提案する。
【０００８】
また、（４）複数の発光ダイオードを選択的に点滅駆動することで文字や画像等を発光表示する表示装置において、複数の発光ダイオードを所定形状あるいはドットマトリクス状に配設してなり、伝達情報として固定の表示パターンあるいは任意の表示パターンを発光表示する主表示部と、繰り返して閃光を放つことが可能な閃光発光ランプと発光ダイオードとを前記主表示部の周囲にそれぞれ複数個配設してなり、所定の発光態様で点滅発光を行う装飾表示部とを備え、装飾表示部の発光ダイオードによる表示の動きと閃光発光ランプによる表示の動きとを同期させることを特徴とする表示装置を提案する。
【０００９】
また、（５）複数の発光ダイオードを選択的に点滅駆動することで文字や画像等を発光表示する表示装置において、複数の発光ダイオードを所定形状あるいはドットマトリクス状に配設してなり、伝達情報として固定の表示パターンあるいは任意の表示パターンを発光表示する主表示部と、繰り返して閃光を放つことが可能な閃光発光ランプと発光ダイオードとを前記主表示部の周囲にそれぞれ複数個配設してなり、所定の発光態様で点滅発光を行う装飾表示部とを備え、装飾表示部の発光ダイオードを段階的な輝度変化を伴う多階調で表示し、閃光発光ランプを単階調で閃光発光表示することを特徴とする表示装置を提案する。
【００１０】
また、（６）上記提案の表示装置において、閃光発光ランプはキセノンランプであることが望ましい。
【発明の効果】
【００１１】
本発明の表示装置は、主表示部の周囲に閃光発光ランプを配置して装飾表示部を構成し、この閃光発光ランプを所定のリズムに合わせて点滅発光駆動するようにした。これにより、伝達情報を発光表示している主表示部の表示面周囲を、瞬間的に点滅する強い閃光で装飾することができ、周囲の視線を集める優れた注目効果を得ることができる。しかもその閃光が所定の発光リズムで点滅することにより、一定の速さで点灯と消灯を単調に繰り返すものに比べて、より高い注意喚起効果を得ることができる。
【００１２】
また、装飾表示部に複数の閃光発光ランプを配置し、それら閃光発光ランプを任意の順序で所定リズムに合わせて点滅発光駆動する。したがって、主表示部の周囲四隅に閃光発光ランプを配置するなどして複数の閃光発光ランプを組み合わせた点滅発光を行うことができ、高い注意喚起効果を得ることができる。
【００１３】
また、装飾表示部に複数の閃光発光ランプを配置し、それら閃光発光ランプを所定数ごとに所定の時間差をおいて所定のリズムに合わせた発光タイミングで点滅発光駆動する。したがって、複数の閃光発光ランプが複数個単位で点滅動作し、１回の点滅で発する閃光の光量が増えると共に１回の点滅あたりの発光範囲が増え、より高い注意喚起効果を得ることができる。
【００１４】
また、装飾表示部に閃光発光ランプとＬＥＤとを複数個配置し、装飾表示部のＬＥＤによる装飾表示動作と閃光発光ランプによる装飾表示動作とを同期させる。これにより、ＬＥＤによる装飾発光の所々に閃光発光ランプによる閃光を織り交ぜて装飾発光動作を行うことができ、性質の異なる２種類の光を用いて高い装飾効果と注意喚起効果を得ることができる。
【００１５】
また、装飾表示部に閃光発光ランプとＬＥＤとを複数個配置し、そのＬＥＤを段階的な輝度変化を伴う多階調で表示し、閃光発光ランプを単階調で閃光発光表示する。これにより、ＬＥＤを複数個単位の発光群として装飾表示する際に、本来ＬＥＤが備えていない徐々に点灯して徐々に消灯する残光性を与えた印象で表示することができ、僅かながらも残光性を持つ閃光発光ランプの見え方に合わせてＬＥＤを光らせることができる。したがって、ＬＥＤと閃光発光ランプとを組み合わせて装飾発光を行う際に違和感を感じさせることなく、それでいながら強烈な閃光を発する装飾表示を実現することができる。
【００１６】
また、閃光発光ランプとしてキセノンランプを用いることにより、繰り返して発光可能な白色の強烈な閃光で装飾表示を行うことができる。
【実施例】
【００１７】
以下、図面を基に本発明の実施例について説明する。図１は本発明実施例に関わる表示装置の全体構成を示すブロック図である。１は主表示部で、プリント基板上に複数のＬＥＤをドットマトリクス状に配列し、ＬＥＤを選択的に点滅することで任意の文字や画像を表示する。本実施例では、１６×１６ドットのマトリクスで表される全角サイズの文字が横方向に１文字、縦方向に４文字、合計４文字表示可能なように１６×６４ドットでマトリクスを構成している。２は装飾表示部で、主表示部１の周囲を取り囲むようにＬＥＤ２−１と閃光発光ランプたるキセノンランプ２−２１〜２−２６とを複数配置して構成している。この装飾表示部に配置しているＬＥＤ２−１には橙、赤、緑、青、白といった各色のＬＥＤを採用しており、発光色を適宜組み合わせながら主表示部１の周囲に沿って適宜間隔で線状に並べて配置している。またキセノンランプ２−２１〜２−２６は、主表示部１の周囲四隅にあたる４箇所と、縦方向に対して中間にあたる２箇所の合計６箇所に配置している。３は主表示部駆動回路で、シフトレジスタ回路およびラッチ回路等からなり、後述する制御部より表示制御データを受けて主表示部１に配列したＬＥＤをダイナミック点滅駆動し、マトリクス上に文字や図形・記号等を発光表示する。４は装飾表示部ＬＥＤ駆動回路で、装飾表示部２に配置された各色のＬＥＤを発光色や点滅タイミングを組み合わせて点滅駆動し、所定の発光態様で装飾発光を行う。５はキセノン駆動回路で、装飾表示部２に配置されたキセノンランプ２−２１〜２−２６をそれぞれ点滅駆動する。なお、ＬＥＤ２−１とキセノンランプ２−２１〜２−２６とは、表示の動きを同期して点滅駆動させることも可能であり、また完全に独立して非同期で点滅駆動させることもできる。
【００１８】
ここで、ＬＥＤ２ａとキセノンランプ２ｂが同期した駆動とは、表示の動きに関連性を持たせるよう点滅駆動することであり、例えば次のような表示動作を行う駆動である。
主表示部１の右上隅に位置するキセノンランプ２−２１を２回点滅させた後、下方向へ向かってＬＥＤ２ａを２個ずつ順に点灯していき、点灯していく光の先頭が縦方向の中間にあるキセノンランプ２−２２の位置に達したら、そこでキセノンランプ２−２２を２回点滅させ、引き続き下に向かってＬＥＤを２個ずつ順に点灯していく。点灯していく光の先頭が主表示部１の右下隅に位置するキセノンランプ２−２３に達したら、そこでランプ２−２３を２回点滅させ、今度は主表示部１の左下隅に位置するキセノンランプ２−２４に向かって横方向へＬＥＤを点灯していく。以降同様にして、点灯していく光の先頭が主表示部１の周囲を１周し、右上隅のキセノンランプ２−２１に達したら点灯した状態にある装飾表示部の全ＬＥＤを消灯する。
【００１９】
また、ＬＥＤ２−１とキセノンランプ２−２１〜２−２６とを非同期で駆動する状態とは、例えば、ＬＥＤ２−１を完全に消灯したままキセノンランプ２−２１〜２−２６だけを点滅駆動して装飾発光を行う状態や、反対にキセノンランプ２−２１〜２−２６を消灯したままＬＥＤ２−１だけで装飾発光を行う状態や、ＬＥＤ２−１とキセノンランプ２−２１〜２−２６との間に動きの関連性を持たせることなく、それぞれ無関係な表示動作を行う状態を指す。
【００２０】
６はＣＰＵで、記憶部７で記憶するプログラムやデータに従い表示処理手順をこなす。記憶部７は、表示装置全体の動きに関する動作プログラムが記憶されたＲＯＭ７ａと、コードに置きかえられた文字・記号等のキャラクタがドットパターンで記憶されるフォントＲＯＭ７ｂと、キャラクタデータからなる文字・単語・文章のコンテンツやドット情報の集まりで表現されるビットマップ形式のイメージデータからなる画像のコンテンツなどを複数記憶する表示データ記憶部７ｃと、装飾表示部２に配置したＬＥＤ２−１およびキセノンランプ２−２１〜２−２６について、それぞれどのようなタイミングで発光させるのか一連のまとまった動きや色の組み合わせ、さらには発光させる際の発光輝度を記憶する装飾データ記憶部７ｄと、表示データの表示タイミングを与える表示スケジュールデータや表示装置に関する各種データを記憶するデータ記憶部７ｅとからなっている。装飾データ記憶部７ｄに記憶する装飾データは、４ビットの情報を持つ階調データであり、４ビットで表される１６段階の輝度情報を備えている。８はＶＲＡＭで、記憶部７から読み出した各種データのうちの表示データと装飾データとを記憶領域にビット情報として展開する。このＶＲＡＭ８は、主表示部１のドットマトリクス構成と、装飾表示部２のＬＥＤ２−１およびキセノンランプ２−２１〜２−２６の構成に対応した記憶領域を備えている。主表示部１に表示する表示データは、キャラクタを表すコードや、イメージデータに与えられたデータファイル名などの配列からなるデータであり、主表示部１で表示するためには実際の表示面のＬＥＤ配列に対応したドット情報に変換する必要があり、フォントＲＯＭ７ｂから読み出したドットパターンをＶＲＡＭ８の記憶領域に展開するのである。このとき、主表示部１の１ドットに対してＶＲＡＭ８の記憶領域は１ビットが割り当てられ（本実施例では主表示部１を単階調で表示する）、ＬＥＤ点滅に関する１ビットの点滅データが格納された後、表示データとして出力される。また、装飾表示部２のＬＥＤ１ドットに対してはＶＲＡＭ８の記憶領域の４ビットが割り当てられ、装飾データ記憶部７ｄから読み出した階調表示に関する４ビットの輝度情報が格納された後、ＬＥＤに関する装飾表示データとして出力される。また、装飾表示部２のキセノンランプ１ドットに対してはＶＲＡＭ８の記憶領域の１ビットが割り当てられ、装飾データ記憶部７ｄから読み出したキセノンランプ点滅に関する１ビットの点滅データが格納された後、キセノンランプに関する装飾表示データとして出力される。９はプログラマブルロジックデバイス（ＰＬＤ）で、ＶＲＡＭ８から出力される表示データおよび装飾表示データを受け、主表示部駆動回路３、装飾表示部ＬＥＤ駆動回路４、キセノン駆動回路５にそれぞれ駆動信号を出力する。
【００２１】
次に、装飾表示部２の装飾表示動作について一例を説明する。図２はキセノンランプ２−２１のみを用いて点滅発光した場合の点滅タイミングを示すタイミングチャートである。図示のパルスはキセノンランプへの通電を表しており、まず通電時間ＴａのパルスＰ１によりキセノンランプ２−２１が１回点滅する。次に所定時間ＴｂをおいてパルスＰ２により２回目の点滅を行い所定時間ＴｃをおいてパルスＰ３により３回目の点滅を行う。これが一連の装飾表示動作となり、所定時間Ｔｄをおいて同じ動作を繰り返す。このとき、所定時間Ｔｂ、所定時間Ｔｃ、所定時間Ｔｄの関係はＴｄ＞Ｔｂ＞Ｔｃであり、「ピカッ・・・ピカッ・ピカッ」の発光リズムとなる。
【００２２】
次に、図３を基にして６個のキセノンランプ２−２１〜２−２６を用いて装飾表示動作を行う例について説明する。まずパルスＰ１により、キセノンランプ２−２１、２−２２、２−２５、２−２６が１回点滅する。次に所定時間ＴｂをおいてパルスＰ２によりキセノンランプ２−２２、２−２３、２−２４、２−２５が２回目の点滅を行う。次に所定時間ＴｂをおいてパルスＰ３によりキセノンランプ２−２１、２−２３、２−２４、２−２６が３回目の発光を行う。次に所定時間ＴｃをおいてパルスＰ４によりキセノンランプ２−２１、２−２３、２−２４、２−２６が４回目の発光を行う。これが一連の表示動作となり、所定時間Ｔｄをおいて同じ動作を繰り返す。所定時間Ｔｂ、所定時間Ｔｃ、所定時間Ｔｄの関係は図２と同じである。したがって、「ピカッ・・・ピカッ・・・ピカッ・ピカッ」の発光リズムで点滅する。
【００２３】
次に、装飾表示部２のＬＥＤ２−１による階調表示について説明する。既に説明した通りＬＥＤ２−１は多階調表示が可能であり、図４に示すように複数段階の輝度（最高１６段階の輝度）で装飾発光を行うことができる。なお、図４は、装飾表示部２の一部であるキセノンランプ２−２１、２−２２とそれらの間に配置されるＬＥＤの周辺を示しており、また、ＬＥＤを表す○に施したハッチングは、発光した際の輝度を表しており、濃いものほど高輝度で発光している状態を表している。すなわち、図４はキセノンランプ２−２１の下に位置する５個のＬＥＤが３段階の明るさで点灯した状態であり、「暗い状態」「少し暗い状態」「明るい状態」「少し暗い状態」「暗い状態」という順に段階的な輝度変化を与えて表示している。そして、この５つのＬＥＤによる発光群が、主表示部１の周囲を時計回りあるいは反時計回りにＬＥＤ数個ずつ移動していく。このように表示することによって、ＬＥＤとキセノンランプを同期して駆動する場合に、移動表示していく発光群が「暗い状態」のＬＥＤからキセノンランプに到達するかたちとなり、点滅の際にＬＥＤより残光性を持つキセノンランプと一緒に発光させても違和感のない表示を行うことができる。
【００２４】
本発明は以上のように構成されるが、上記実施例に限定されるものではない。例えば、装飾表示部の表示動作などはあくまでも一例であり、他にも各種の動きで表示することができる。また、装飾表示部に配置するキセノンランプおよびＬＥＤの配置位置についても実施例に限定されるものではない。また、キセノンランプについても、注目効果に優れた閃光を発するランプであれば、他のランプを利用することも可能である。
【産業上の利用可能性】
【００２５】
店舗先等に設置してコマーシャルメッセージを表示する所謂電光表示器だけでなく、道路工事箇所に設置して車の搭乗者に注意を促す表示装置などにも利用することができる。
【図面の簡単な説明】
【００２６】
【図１】本発明の全体構成を示すブロック図である。
【図２】１つのキセノンランプを用いて点滅発光させた一例を示す点滅タイミングチャートである。
【図３】６つのキセノンランプを用いて点滅発光させた一例を示す点滅タイミングチャートである。キセノンランプ２−２１のみを用いて点滅発光した場合の点滅タイミングを示すタイミングチャートである。
【図４】装飾表示部のＬＥＤを多階調表示した例を示す説明図である。
【符号の説明】
【００２７】
１    主表示部
２    装飾表示部
２−１    装飾表示部のＬＥＤ（発光ダイオード）
２−２１〜２−２６    閃光発光ランプたるキセノンランプ
３    主表示部駆動回路
４    装飾表示部ＬＥＤ駆動回路
５    キセノン駆動回路
６    ＣＰＵ
７    記憶部
８    ＶＲＡＭ
９    ＰＬＤ
【図１】
2005215095.tif 000003
【図２】
2005215095.tif 000004
【図３】
2005215095.tif 000005
【図４】
2005215095.tif 000006